(57)【要約】【課題】電気的な構成を用いずに構成の簡略化及びコンパクト化を図った自動販売機を提供する。【解決手段】本体１の上部に商品収納部２が配置されると共に、硬貨投入口３に投入された硬貨の通路となる垂直案内路１１ａ及び水平案内路１１ｂが形成された硬貨案内路１１を有する移動板１３が配置されている。移動板１３と供給板１６とが一体に連結され、押込部材４にはリンク部材１９が斜めに取り付けられ、ピン２０を介して硬貨押出部材２１に係合している。押込部材４を押下すると押込部材４及びリンク部材１９が下降し、同時に、ピン２０がリンク部材１９の下降に従って硬貨押出部材２１が水平案内路１１ｂを右方向に硬貨を押しながら移動する。最終的には硬貨１０が前方に配設された硬貨案内爪２２によって落下し、同時に商品３０を供給板１６の一端の凹部１６１によって落下させて排出口５から排出する。【選択図】図２
2013109433.tif 000002
【特許請求の範囲】
【請求項１】
商品を複数収納する商品収納部と、
予め定めた所定価額の硬貨の直径よりも僅かに長い開口を備えた硬貨投入口と、
第一の弾性部材によって上方側に向かって付勢され、利用者の押圧操作によって下方側に移動可能に形成された押込部材と、
前記押込部材に所定の角度を有して連結され、内部に空間が形成されたたリンク部材と、
前記硬貨投入口から投入された硬貨を案内する垂直案内路及び当該垂直案内路の下方側から水平方向に伸びる前記硬貨の直径よりも僅かに小さい幅の水平案内路を備えた略Ｌ字状の硬貨案内路が形成されると共に、前記水平案内路側とは反対側に硬貨押出部材が配置された移動板であって、前記硬貨押出部材は前記リンク部材に形成された前記空間部に沿って移動可能なピンを介して係止され、前記押込部材を押し込むことにより前記リンクを介して前記水平案内路に向かって前記硬貨押出部材が水平移動することによって押し出された前記硬貨が前記水平案内路の上部側の角部に当接したのち水平移動を開始する移動板と、
前記移動板を前記押込部材による移動方向とは反対方向に付勢する第二の弾性部材と、
前記移動板と一体に連結されて前記移動板と連動して水平移動可能に形成され、前記移動板の移動に伴って水平移動することにより前記商品収納部の最下部にあって掛止状態にある商品を落下させて取出口へ導く供給板と、
を備えて構成されていることを特徴とする自動販売機。
【請求項２】
請求項１に記載の自動販売機において、
前記移動板の移動によって前記供給板が前記商品を押して落下させる位置に到着したタイミングで投入された前記硬貨を前記水平案内路の外へ排除して予め定めた所定価額の硬貨を硬貨収納部へ案内する硬貨案内爪を備えていることを特徴とする自動販売機。
【請求項３】
請求項２に記載の自動販売機において、
予め定めた所定価額の硬貨の直径よりも小さい直径の硬貨が投入された場合には当該硬貨を前記水平案内路に向かって移動させて前記硬貨収納部とは異なる方向へ案内し、返却口から排出するようにしたことを特徴とする自動販売機。
【請求項４】
請求項１から３のいずれか１項に記載の自動販売機において、
前記硬貨押出部材は、前記水平案内路に沿って配設されたガイドリンクに案内されながら移動するようにしたことを特徴とする自動販売機。
【請求項５】
請求項１から４のいずれか１項に記載の自動販売機において、
前記供給板は、前記商品の外径に対応した半円状の凹部が前記商品収納部側に設けられ、当該供給板の水平移動の最終段階で前記凹部に掛止されている商品を押し込んで落下させることを特徴とする自動販売機。
【請求項６】
請求項１から５のいずれか１項に記載の自動販売機において、
前記商品収納部は中空状の筒状体によって形成され、内部に販売する商品を上下方向に重ねた状態で収容し、前記硬貨が前記硬貨案内爪によって前記水平案内路の外へ排除されるタイミングで最下部の商品が落下して排出口へ排出されると前記移動板が前記第二の弾性部材による付勢によって元に位置に戻るのに伴い前記供給板も元に位置に戻り、前記商品収納部の最下部に位置する商品が掛止状態となってスタンバイするようにしたことを特徴とする自動販売機。
【発明の詳細な説明】
【技術分野】
【０００１】
本発明は、特定の硬貨を投入することにより商品を提供する自動販売機に関し、さらに詳しくは、例えば、一つずつ小分けされたコーヒー、紅茶、緑茶などのポッドを機械的な構成動作によって、且つ、手動操作によって提供することができる簡略化及びコンパクト化を図った自動販売機に関する。
【背景技術】
【０００２】
コーヒーを入れるスタイルの一つにポッドの利用がある。ポッドとは１杯分のコーヒーの粉を特定の形状の容器に充填したもので、一般的には中央が膨らんだ円盤状のものが知られている。このポッドでコーヒーを飲む場合、ポッドを専用の抽出機に装着して抽出する。このようなポッドを提供する自動販売機（ポッド販売機）及びこれに対応するコーヒー抽出機は、例えば、福利厚生を目的として会社の食堂、休憩コーナ等に設置しておくことにより従業員等の利用者がワンコインでポッドを購入し、これをコーヒー抽出機に入れて抽出することで気楽にコーヒーを楽しむことができる。尚、このようなポッド供給装置及び抽出機は、会社以外の場所、例えば飲食店、各種の店舗や施設、駅、その他においても利用できることはいうまでもない。
【０００３】
ところで、コーヒーの自動販売機としては、例えば、特許文献１に示されるようなコーヒー販売機のように、モータやマイクロコンピュータを搭載することによって容易に自動化を図ることができる。このコーヒー販売機は、挽いたコーヒーが収納されてハウジングに出し入れ可能な収納容器、この収納容器から排出した挽いたコーヒーとお湯とを混合するチヤンバー、該チヤンバーからのコーヒーをフィルタペーパを通してカップに供給するカップステーション等を備え、これらはモータやマイクロコンピュータによって駆動及び制御する構成になっている。
【０００４】
一方、硬貨を投入し、購入者がレバー等の操作を行うことによって商品を提供する自動販売機としては、例えば、特許文献２に示すようなカプセルに玩具等を収容したカプセル入り玩具の自動販売機が知られている。特許文献２のカプセル入玩具用自動販売機のコイン投入装置は、ケース、回転シャフト、コイン収容回転盤及び揺動部材を備えており、コイン収容回転盤には第一収容部と第二収容部と回転阻止用突起とが形成され、揺動部材には、第一段部と第二段部とが設けられ、小径コインは第一収容部に収まり、第一段部に摺接しながら揺動部材を所定量揺動させ回転阻止用突起が揺動部材に当接しないよう構成し、大径コインは第二収容部に収まり、第二段部に摺接しながら揺動部材を所定量揺動させ回転阻止用突起が揺動部材に当接しないよう構成することにより二種類のコインに対応できるというものである。
【先行技術文献】
【特許文献】
【０００５】
【特許文献１】特開２００１−０８７１３７号公報
【特許文献２】特開２００６−２４４２１０号公報
【発明の概要】
【発明が解決しようとする課題】
【０００６】
しかしながら、清涼飲料やコーヒーの自動販売機は装置全体が大型であるため、給湯室のような狭いスペースに気軽に設置することは困難である。また、動作に電力を必要とするためその分のコストもかかる。そのため、卓上型のコーヒー抽出器を設置しておき、ユーザが１杯分のポッドを別途購入することによって卓上型のコーヒー抽出器でコーヒーを入れるようにすることが簡便であるが、ポッドの提供のための自動販売機もなるべく場所を取らず、簡単な構成であって電力等を用いない構成のものが最適である。
【０００７】
そこで、本発明は、かかる問題点に鑑みなされたもので、電力等を利用することなく、純機械式な構成にして装置の簡略化及びコンパクト化を可能にした自動販売機を提供することを目的とする。
【課題を解決するための手段】
【０００８】
上記課題を解決するために請求項１に記載の発明は、商品を複数収納する商品収納部と、予め定めた所定価額の硬貨の直径よりも僅かに長い開口を備えた硬貨投入口と、第一の弾性部材によって上方側に向かって付勢され、利用者の押圧操作によって下方側に移動可能に形成された押込部材と、押込部材に所定の角度を有して連結され、内部に空間が形成されたたリンク部材と、硬貨投入口から投入された硬貨を案内する垂直案内路及び当該垂直案内路の下方側から水平方向に伸びる硬貨の直径よりも僅かに小さい幅の水平案内路を備えた略Ｌ字状の硬貨案内路が形成されると共に、水平案内路側とは反対側に硬貨押出部材が配置された移動板であって、硬貨押出部材はリンク部材に形成された空間部に沿って移動可能なピンを介して係止され、押込部材を押し込むことによりリンクを介して水平案内路内を硬貨押出部材が水平移動することによって押し出された硬貨が水平案内路の上部側の角部に当接したのち水平移動を開始する移動板と、移動板を押込部材による移動方向とは反対方向に付勢する第二の弾性部材と、移動板と一体に連結されて移動板と連動して水平移動可能に形成され、移動板の移動に伴って水平移動することにより商品収納部の最下部にあって掛止状態にある商品を落下させて取出口へ導く供給板とを備えて構成されていることを特徴とする自動販売機を提供する。
【０００９】
上記課題を解決するために請求項２に記載の本発明は、請求項１に記載の自動販売機において、移動板の移動によって供給板が商品を押して落下させる位置に到着したタイミングで投入された硬貨を水平案内路の外へ排除して予め定めた所定価額の硬貨を硬貨収納部へ案内する硬貨案内爪を備えていることを特徴とする。
【００１０】
上記課題を解決するために請求項３に記載の本発明は、請求項２に記載の自動販売機において、予め定めた所定価額の硬貨の直径よりも小さい直径の硬貨が投入された場合には当該硬貨を水平案内路に向かって移動させて硬貨収納部とは異なる方向へ案内し、返却口から排出するようにしたことを特徴とする。
【００１１】
上記課題を解決するために請求項４に記載の本発明は、請求項１から３のいずれか１項に記載の自動販売機において、硬貨押出部材は、水平案内路に沿って配設されたガイドリンクに案内されながら移動するようにしたことを特徴とする。
【００１２】
上記課題を解決するために請求項５に記載の本発明は、請求項１から４のいずれか１項に記載の自動販売機において、供給板は、商品の外径に対応した半円状の凹部が商品収納部側に設けられ、当該供給板の水平移動の最終段階で凹部に掛止されている商品を押し込んで落下させることを特徴とする。
【００１３】
上記課題を解決するために請求項６に記載の本発明は、請求項１から５のいずれか１項に記載の自動販売機において、商品収納部は中空状の筒状体によって形成され、内部に販売する商品を上下方向に重ねた状態で収容し、硬貨が硬貨案内爪によって水平案内路の外へ排除されるタイミングで最下部の商品が落下して排出口へ排出されると移動板が第二の弾性部材による付勢によって元に位置に戻るのに伴い供給板も元に位置に戻り、商品収納部の最下部に位置する商品が掛止状態となってスタンバイするようにしたことを特徴とする。
【発明の効果】
【００１４】
本発明に係る自動販売機によれば、電気で動く機構を用いず、純機械式にすることができるため、構成の簡略化及びコンパクト化を図ることができるという効果がある。従って、僅かなスペースでも設置することができる。
【図面の簡単な説明】
【００１５】
【図１】本発明に係る自動販売機の好ましい一実施形態の外観を示す斜視図である。
【図２】本発明に係る自動販売機の本体内の構成を示す斜視図である。
【図３】本発明に係る自動販売機の硬貨投入前の状態を示す正面断面図である。
【図４】本発明に係る自動販売機の硬貨投入直後の状態を示す正面断面図である。
【図５】本発明に係る自動販売機の押込部材押下開始段階の状態を示す正面断面図である。
【図６】本発明に係る自動販売機の押込部材押下最終段階の状態を示す正面断面図である。
【図７】（ａ）〜（ｃ）は供給板の形状及びセットから排出までの動作を示す斜視図である。
【図８】（ａ）〜（ｃ）は主要部の動作状態を示す斜視図及び平面図である。
【発明を実施するための形態】
【００１６】
［自動販売機の構成］
以下、本発明に係る自動販売機について、好ましい一実施形態に基づいて詳細に説明する。図１は本発明に係る自動販売機の一実施形態を示す斜視図、図２は本発明に係る自動販売機の本体内の構成を示す斜視図である。そして、図３〜図６は自動販売機の一連の動作過程における断面図である。尚、本実施形態では、販売する商品として１杯分のコーヒーを収容した円盤状の「ポッド」を例にして説明するが、商品は「ポッド」に限るものではなく種々の商品に適用することが可能である。
【００１７】
図１に示すように、自動販売機１００は、概略として、中空状の箱型をした本体１と、この本体１の上面に立設配置された商品収納筒（商品収納部）２と、本体１の上面に設けられて予め定められた価額の硬貨１０を投入するための硬貨投入口３と、本体１の上面に設けられ、硬貨１０を投入した利用者の押下操作によって１つのポッド３０を排出口５から排出させるための棒状の押込部材４と、本体１の側面に設けられて押込部材４の押下操作に応じて１つのポッド３０を排出する排出口５とを備えて構成されている。尚、自動販売機１００には排出口５から排出されたポッド３０を保持するための図示しないトレイ等が配設されており、排出されたポッド３０を利用者が取り出し易いように形成されている。また、図示及び詳しい説明は省略するが、商品収納筒２内にポッド３０が存在しない“売り切れ”の場合には硬貨投入口３を閉塞する機構若しくは硬貨投入口３に投入された硬貨１０を返却する機構を備えている。
【００１８】
商品収納筒２は、中空状の筒状体によって形成されており、商品収納筒２は収容するポッド３０，３０の直径よりも僅かに大きな内径とされ、その内部に販売する商品であるポッド３０，３０が上下方向に複数重ねた状態で収納できるようになっている。
【００１９】
硬貨投入口３は、ポッド３０を販売するために予め定められた所定の価格（以下、「指定の価額」という）に対応する硬貨１０（本実施形態では１００円硬貨）のみが使用できるように形成されている。すなわち、硬貨投入口３の開口長さ及び幅は１００円硬貨の直径及び厚さとほぼ同じサイズかそれよりも僅かに大きく形成されており、直径が１００円硬貨よりも大きい１０円及び５００円硬貨は硬貨投入口３に投入できないようにすることによって本体１内に投入されることを排除し、直径が１００円硬貨より小さい１円、５円及び５０円硬貨は硬貨投入口３に投入可能ではあるものの後述する返却機構により押込部材４を操作してもポッド３０は排出されず、本体１の外に返却されるようになっている。尚、外国の硬貨の場合には各国の硬貨のサイズの実情に合わせて硬貨投入口３のサイズを適宜に調整すればよい。
【００２０】
図２に示すように、本体１の内部には、概略として、押込部材４を下方側から上方側に向かって付勢する第一のコイルバネ１７と、押込部材４に所定の角度を有して連結され、内部に空間が形成されたたリンク部材１９と、硬貨投入口３の下側に硬貨投入口３から投入された硬貨１０を案内する垂直案内路１１ａ及び垂直案内路１１ａの下方側から水平方向に伸びる硬貨１０の直径よりも僅かに小さい幅の水平案内路１１ｂを備えた略Ｌ字状の硬貨案内路１１が形成されると共に全体として水平方向へ移動可能な移動板１３と、移動板１３と一体に連結されて移動板１３の水平移動と連動して移動可能に配置された供給板１６と、押込部材４の押し込みによりリンク部材１９を介して水平案内路１１ｂに向かって水平移動して硬貨１０を押し込む硬貨押出部材２１と、移動板１３の移動に伴って移動してきた硬貨１０の右側端を図３の手前方向へ押し出す傾斜面２２０を有した長板状の硬貨案内爪２２と、硬貨押出部材２１の移動をガイドするガイドリンク２３とが設置されている。尚、押込部材４を付勢する第一のコイルバネ１７の下方側は本体１の底面に設置された支持部材１８に支持されており、押込部材４は、利用者が指で押込部材４の上面を押し下げることにより第一のコイルバネ１７の付勢力に抗して下降し、利用者が指を押込部材４の上面から離せば元の位置に復帰するようになっている。
【００２１】
移動板１３は、本体１の上面側に平面状に配置された供給板１６の一方側の側縁に対して図示しないＬ字型金具等によって直角に、且つ、一体に連結するようにして取り付けられており、後述するように硬貨押出部材２１によって押し出された硬貨１０を介して本体１の側面に取り付けたガイドネジ１２，１２にガイドされるようにして水平移動（図３における右方向へ移動）可能とされている。また、移動板１３は支持ネジ１５ａ，１５ｂによって固定端（右端）側が本体１に支持された第二のコイルバネ１４ａ，１４ｂによって移動方向とは反対方向（図３における左側方向）に付勢されている。
【００２２】
移動板１３に形成された硬貨案内路１１の垂直案内路１１ａは、硬貨投入口３と同様に、硬貨１０の直径及び厚みと同じかそれよりやや大きく形成されており硬貨１０の落下を可能にしている。一方、硬貨案内路１１の水平案内路１１ｂの幅サイズは硬貨１０の直径よりもやや小さく形成されているため、硬貨押出部材２１によって押し出された硬貨１０は水平案内路１１ｂの上部角部に当接して水平案内路１１ｂ内への進入ができないようになっている。尚、指定の価額とは異なる硬貨であって硬貨１０よりも直径の小さい硬貨が投入された場合には水平案内路１１ｂの上部角部に当接することなく水平案内路１１ｂ内を通過するようになっている。
【００２３】
リンク部材１９は、上端側が押込部材４に連結固定されると共に、下端側が斜め下方向に傾斜して伸びるように形成された板状の部材であり、押込部材４と一体となって上下動するように形成されている。また、リンク部材１９の表面には長手方向に沿って長溝状の開口１９０が設けられており、開口１９０内に嵌入されたピン２０によって水平案内路１１ｂ側とは反対側に位置するようにして配置された硬貨押出部材２１を移動可能に支持している。
【００２４】
硬貨押出部材２１は、押込部材４と一体となって上下動するリンク部材１９によって垂直案内路１１ａの下部に落下した硬貨１０を水平案内路１１ｂ側に押し出す部材である。硬貨押出部材２１は、硬貨１０を安定的に押し出すことができるように硬貨１０の側面形状に合致した凹部２１０を有し、凹部２１０は硬貨１０の周面に対して線状に接触して支持するようになっている。そして、押込部材４が押し下げられるとそれと連動してリンク部材１９が下降を始め、リンク部材１９の下降によって開口１９０内に嵌入されたピン２０の位置が次第に水平案内路１１ｂ側に移動することになるので硬貨押出部材２１は水平案内路１１ｂに向かって水平移動する。これにより硬貨１０が水平案内路１１ｂに向かって押し出されるようになっている。そして、硬貨押出部材２１によって水平案内路１１ｂ側へ押し出された硬貨１０は水平案内路１１ｂの上部側の角部に当接することになるが、さらに押込部材４が押し込むと硬貨押出部材２１が水平案内路１１ｂの上部側の角部に当接した状態の硬貨１０を押し込むことになるので今度は移動板１３全体がガイドリンク２３にガイドされながら水平移動（図３の右方向）を始める。
【００２５】
水平案内路１１ｂの前方側には硬貨案内爪２２が配置されている。硬貨案内爪２２は、先端が斜めに折り曲げ加工された傾斜面２２０を備えた板状部材であり、硬貨押出部材２１によって押し出されて水平移動してきた硬貨１０を傾斜面２２０によって硬貨押出部材２１から傾斜面２２０の傾斜方向に案内して落下させる。傾斜面２２０の傾斜方向には図示しない硬貨収納部が設けられており落下した硬貨１０が貯えられるようになっている。一方、指定の価額とは異なる硬貨であって硬貨１０よりも直径の小さい硬貨の場合には硬貨案内爪２２の傾斜面２２０に案内されることなく水平案内路１１ｂ内を通過してそのまま落下して図示しない硬貨収納部とは異なる場所に落下する。そして、指定の価額とは異なる硬貨であって硬貨１０よりも直径の小さい硬貨は本体１に設けられた図示しない返却口から返却されるようになっている。尚、硬貨案内爪２２は図示しないネジ部材によって本体１に取り付けられており、取り付け位置を適宜調整することで指定の価額の硬貨１０的確に分別することができる。
【００２６】
硬貨押出部材２１から硬貨１０が落下すると硬貨１０による水平案内路１１ｂの上部角部との当接状態が解消されるので第二のコイルバネ１４ａ，１４ｂの付勢力によって移動板１３は元の位置（図３における左側）に戻ることになる。
【００２７】
図７（ａ）〜（ｃ）は供給板１６の形状を示す斜視図である。図７（ａ）はポッド３０が位置決め（セット）されていないときの供給板１６の形状を示し、商品収納筒２側の下端部に設けられた凹部１６０に商品収納筒２の最下段の１枚のポッド３０が図７（ｂ）に示すようにセットされる。ポッド３０はコーヒーの粉末が詰まった中央部がやや膨らんだ円盤状の本体部３０ａとその周囲に張り出している鍔３０ｂを有している。図７（ａ）に示すように、本体１の天板面１ａにはポッド３０の直径よりもやや大きな円弧に形成された凹部１ｂが形成されると共に、供給板１６の先端部にも同様の凹部１６１が形成されている。そして、初期状態では天板面１ａの凹部１ｂの位置よりも供給板１６の凹部１６１の方が僅かに後方側（図７（ａ）における左側）にズレた状態で位置している。これによりポッド３０は天板面１ａの凹部１ｂと供給板１６の凹部１６１によって形成された段部に鍔部３０ｂが掛止されて安定な状態にセットされる。そして、上述した移動板１３の移動と連動して供給板１６が水平移動することにより図７（ｃ）に示すように、供給板１６は図示の右方向へ移動する過程で供給板１６の凹部１６１がポッド３０の鍔３０ｂを押し込み、凹部１ｂと凹部１６１とが合致すると、ポッド３０を図示しない落下口へ落下させる。これにより、ポッド３０は排出口５から排出される。そして、このポッド３０の落下のタイミングと硬貨案内爪２２による硬貨押出部材２１からの硬貨１０の落下のタイミングとがほぼ同時に行われるようになっており、ポッド３０が落下して第二のコイルバネ１４ａ，１４ｂの付勢力によって移動板１３は元の位置（図３における左側）に戻ると次のポッド３０が天板面１ａの凹部１ｂと供給板１６の凹部１６１によって形成された段部に鍔部３０ｂが掛止されてセットされることになる。
【００２８】
［自動販売機の動作］
次に、図３〜図６及び図８（ａ），（ｂ），（ｃ）を参照し、上述した自動販売機１００の動作について説明する。まず、利用者は図１及び図３に示すように、硬貨１０を硬貨投入口３に投入する。すると、硬貨１０は垂直案内路１１ａ内を落下し、図４に示すように落下位置で静止する。次に、利用者が押込部材４を指で押し下げると、図５に示すように、押込部材４の下降に連動してリンク部材１９がその傾斜角度を保持したままで下降を開始する。リンク部材１９が下降する過程でリンク部材１９によって、ピン２０が図４の状態から右方向に移動する。ピン２０が右方向へ動き始めると、ピン２０が取り付けられている硬貨押出部材２１も右方向へ移動し始め、これに伴って硬貨１０が図５及び図８（ｂ）に示すように右方向へ移動する。そして、硬貨１０が図５に示す位置まで移動すると、硬貨１０の直径の方が水平案内路１１ｂの高さより大きいため、硬貨１０は水平案内路１１ｂの上部角部に当接して図５の位置から先に進めなくなる。
【００２９】
しかし、移動板１３が水平移動可能に構成されているので、利用者が押込部材４をさらに押し下げると硬貨１０を介して移動板１３全体を図５の右方向へ移動させる。そして、移動板１３が右方向へ移動すると移動板１３に固定されている供給板１６も連動して右方向へ移動する。押込部材４の押し込み下降が最終段階に到達すると、硬貨１０の右側端が硬貨案内爪２２の先端（傾斜面２２０）に到達し、硬貨１０は硬貨案内爪２２の傾斜面２２０に沿うようにして厚み方向（図６の手前方向）に先端側から徐々に押し出されるように回動し（図６及び図８（ｃ）参照）、ついには水平案内路１１ｂの外へ落下し図示しない硬貨収納部に納められる。
【００３０】
一方、硬貨１０が水平案内路１１ｂから落下するタイミングで供給板１６の凹部１６１がポッド３０を押し込み、図７（ｂ）の状態から図７（ｃ）に示すように、凹部１ｂと凹部１６１とが合致すると、ポッド３０を図示しない落下口へ落下させる。これにより、ポッド３０は排出口５から排出される。また、硬貨１０と水平案内路１１ｂの上部端面との当接が解除されるので押込部材４は第一のコイルバネ１７の付勢力によって図６の上方向に押し上げられ、同時にリンク部材１９が上昇することによってピン２０が図示の左方向に押し戻されることによって硬貨押出部材２１が左方向に移動し、さらに移動板１３及び供給板１６も図７に示す左側へ移動し、押込部材４、リンク部材１９、ピン２０及び硬貨押出部材２１の各部材が初期状態に戻される。このとき、次のポッド３０が天板面１ａの凹部１ｂと供給板１６の凹部１６１によって形成された段部に鍔部３０ｂが掛止されてセットされる。
【００３１】
ところで、硬貨１０を硬貨投入口３に投入しないで押込部材４を押し下げた場合には、押込部材４、リンク部材１９、ピン２０及び硬貨押出部材２１の各部材が上述したような運動を行う。しかし、硬貨１０が存在しないために移動板１３が右方向に押されず、供給板１６も移動しない。そのため、押込部材４は途中まで下降するが、それより下には下降しない。従って供給板１６も移動しないのでポッド３０は落下せず、ポッド３０は排出口５から排出されない。
【００３２】
［実施形態の効果］
本実施形態に係る自動販売機によれば、その全てを機械的な構成にすることができるため、構成の簡略化が図れると共に低価格化が図れるという効果がある。
【００３３】
また、ポッド３０を排出する機構は、予め設定した価額の硬貨（本実施形態では１００円硬貨）でしかが動作しないため、極めて簡単な構成によって不正使用を防止することができるという効果がある。
【００３４】
また、硬貨投入後のポッド３０の供給開始を押込部材４にし、この押込部材４にリンク部材１９を固定しているため、硬貨１０を移動させるための駆動源にモータ等を必要としないので、構成の簡略化及びコンパクト化を図ることができるという効果がある。
【００３５】
また、移動板１３の硬貨案内路１１は、指定された価額の硬貨より小さい径の硬貨を排除する機構を有し、且つ、垂直案内路１１ａが指定された価額の硬貨が通過可能な断面形状を有するとともに水平案内路１１ｂは指定された価額の硬貨が垂直案内路１１ａより硬貨案内爪２２側へ進入できない断面形状を有しているので、不正使用を排除できるという効果がある。
【００３６】
また、硬貨押出部材２１は移動板１３の硬貨案内路１１に沿って配設された硬貨押出部材ガイドリンク２３にガイドされて移動するので安定に移動し、移動過程で硬貨１０が詰まることがないという効果がある。
【００３７】
また、供給板１６は、ポッド３０の外径に対応した円弧状の凹部１ｂ，１６１を商品収納筒２の下部に設け、供給板１６の水平移動によってポッド３０を押し込んで移動させて投下口へ導くようにしたので、簡単な構成によって供給系を構成することができるという効果がある。
【００３８】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。例えば、押込部材４は押す動作ではなく、引いたり回転させたりするレバー式であってもよい。同様に、リンク部材１９は垂直方向に代えて水平方向に配置するとともにピン２０を上側等に配置し、押込部材４の移動をリンク部材１９の水平移動に変換すればよい。
【００３９】
また、本発明に係る自動販売機は、商品の価格が１枚の硬貨に対応するのであれば、ポッド３０を販売する以外の目的の装置、例えば、日用雑貨品、玩具、パン、嗜好品等（包装箱等の有無を問わないが凹部１６０に係止できる形状の必要がある）、更には缶（または紙パック）ジュース、缶詰等の各種の商品を販売するための装置の全般に採用可能である。
【符号の説明】
【００４０】
１      本体
１ａ  天板面
２      商品収納筒
３      硬貨投入口
４      押込部材
５      排出口
１０      硬貨
１１      硬貨案内路
１１ａ      垂直案内路
１１ｂ      水平案内路
１２      ガイドネジ
１３      移動板
１４ａ，１４ｂ      第二のコイルバネ
１５ａ，１５ｂ      支持ネジ
１６      供給板
１７      第一のコイルバネ
１８      支持部材
１９      リンク部材
２０      ピン
２１      硬貨押出部材
２２      硬貨案内爪
２３      ガイドリンク
３０      ポッド
３０ａ      本体部
３０ｂ      鍔
１００      自動販売機
１６１      凹部
１９０      開口
２１０      凹部
２２０      傾斜面
【図１】
2013109433.tif 000003
【図２】
2013109433.tif 000004
【図３】
2013109433.tif 000005
【図４】
2013109433.tif 000006
【図５】
2013109433.tif 000007
【図６】
2013109433.tif 000008
【図７】
2013109433.tif 000009
【図８】
2013109433.tif 000010